(57)【要約】【課題】小さな消費電力で光源の寿命を延ばすことが可能なプロジェクタを提供すること。【解決手段】冷却手段と、光源を点灯させる際に、光源を冷却手段で冷却してから点灯を行うか否かを、光源が消灯すると放電するコンデンサの電荷量により決定する制御部とを備えるプロジェクタであって、メモリを有し、制御部は、光源が点灯状態となると、コンデンサを第１の時間充電状態とし、第２の時間放電状態とした後に充電状態とし、放電状態終了時のコンデンサの電荷量を計測してメモリに格納し、光源を点灯させる際に、コンデンサの電荷量がメモリに格納されている電荷量を上回る場合には冷却手段に光源を冷却させる。【選択図】図１
2008286926.tif 000002
【特許請求の範囲】
【請求項１】
冷却手段と、光源を点灯させる際に前記光源を前記冷却手段で冷却してから点灯を行うか否かを、前記光源が消灯すると放電するコンデンサの電荷量により決定する制御部とを備えるプロジェクタであって、
メモリを有し、
前記制御部は、前記光源が点灯状態となると、前記コンデンサを第１の時間充電状態とし、第２の時間放電状態とした後に充電状態とし、放電状態終了時の前記コンデンサの電荷量を計測して前記メモリに格納し、前記光源を点灯させる際に、前記コンデンサの電荷量が前記メモリに格納されている電荷量を上回る場合には前記冷却手段に前記光源を冷却させることを特徴とするプロジェクタ。
【請求項２】
請求項１に記載のプロジェクタにおいて、
前記光源が点灯状態のときに、前記制御部の制御に基づいて前記コンデンサの充電状態および放電状態への切り替えを行うスイッチを備えることを特徴とするプロジェクタ。
【請求項３】
請求項１または請求項２に記載のプロジェクタにおいて、
前記制御部は、前記放電状態終了時の電荷量が計測されたか否かを示すフラグを前記メモリに格納し、前記光源を点灯させる際に、前記メモリに格納されている前記フラグが前記電荷量の計測が行われなかったことを示すものである場合には、前記冷却手段に前記光源を冷却させることを特徴とするプロジェクタ。
【請求項４】
光源を点灯させる際に前記光源を冷却してから点灯を行うか否かを、前記光源が消灯すると放電するコンデンサの電荷量により決定する光源保護方法であって、
前記光源が点灯状態となると、前記コンデンサを第１の時間充電状態とし、第２の時間放電状態とした後に充電状態とし、放電状態終了時の前記コンデンサの電荷量を計測し、
前記光源を点灯させる際に、前記コンデンサの電荷量と計測した電荷量とを比較し、
前記コンデンサの電荷量が計測した電荷量を上回る場合には前記光源を冷却させる、
ことを特徴とする光源保護方法。
【請求項５】
請求項４に記載の光源保護方法において、
前記放電状態終了時の電荷量の計測が行われなかった場合には、前記光源を点灯させる際に前記光源を冷却させる、
ことを特徴とする光源保護方法。
【発明の詳細な説明】
【技術分野】
【０００１】
本発明は、コンデンサの電荷量により光源が消灯してから再び点灯するまでの消灯時間を特定するプロジェクタおよび光源保護方法に関する。
【背景技術】
【０００２】
プロジェクタに設けられている投射表示用のランプは、一般的に、高温状態のまま点灯すると、劣化を早める可能性が高くなる。そこで、ランプが消灯してから再び点灯するまでの時間（消灯時間）に基づいて、ランプが高温状態であるか否か判定する方法がある。この方法では、消灯時間が所定の時間よりも短い場合、ランプは、例えばファンなどの冷却手段によって冷却されてから点灯する。
【０００３】
上記のような方法では、消灯時間が所定の時間よりも短いか否か判断するためにコンデンサの電荷量を利用する場合がある。この場合、コンデンサは、ランプが消灯すると放電するように回路に配置される。そのため、消灯時間におけるコンデンサの電荷量は、時間の経過とともに減少する。すなわち、コンデンサの電圧値は、時間の経過とともに降下する。
【０００４】
そこで、上述した所定の時間に対応するしきい値を予め定めておき、消灯時間後のコンデンサの電圧値がしきい値よりも大きな場合には、消灯時間は所定の時間よりも短いと判断されることとなる。
【０００５】
なお、実際にランプの消灯時間を測定するプロジェクタは提案されており、例えば特許文献１（特開２００５−２７４７４７号公報）に開示されている。
【０００６】
特許文献１に記載のプロジェクタは、ＣＰＵ（Ｃｅｎｔｒａｌ  Ｐｒｏｃｅｓｓｉｎｇ  Ｕｎｉｔ）を常に動作可能な状態にさせるためのバックアップ電源を備えることにより、実際の消灯時間を測定可能にしている。
【０００７】
特許文献１に記載のプロジェクタでは、電源をオフさせる操作が行われてランプが消灯状態に移行すると、ＣＰＵがタイマカウンタに消灯時間を測定させる。タイマカウンタによって測定された消灯時間は、ＣＰＵによってメモリに格納される。このとき、メモリには、過去に測定された消灯期間が複数格納されている。
【０００８】
そして、ＣＰＵは、メモリに複数格納された消灯時間が全て所定の時間よりも長いことを確認した場合には、ランプを直ちにファンで冷却させてから消灯させる。
【０００９】
一方、所定の時間よりも短いデータが少なくとも１つ含まれている場合には、ＣＰＵは、所定期間の経過後にランプを冷却させて消灯させる。このとき、所定期間の経過前に電源をオンさせる操作が行われると、ＣＰＵは投射表示を再開させる。
【００１０】
このようにして、特許文献１に記載のプロジェクタは、過去にランプの消灯時間が所定の時間よりも短い場合があるとランプを所定期間遅らせて消灯させることによって、ランプの点灯および消灯の頻繁な切り替えを防ぎランプの長寿命化を可能にしている。
【特許文献１】特開２００５−２７４７４７号公報
【発明の開示】
【発明が解決しようとする課題】
【００１１】
コンデンサの電荷量によりランプの消灯時間を特定する場合、予め定められたしきい値を基準としてランプを冷却するか否かの判定を行うと、個体差、または経年変化でコンデンサの容量がばらついた場合、消灯時間が本来なら冷却を必要とするときにコンデンサの電圧値がしきい値よりも小さくなる可能性がある。すると、ランプは高温状態にもかかわらず冷却されないまま点灯されることが想定され、このとき、ランプの劣化を防ぐ動作が行われないことになる。
【００１２】
特許文献１に記載のプロジェクタでは、実際の消灯時間がタイムカウンタによって測定されているため、上述したような問題は起こらないと考えられる。しかしながら、特許文献１に記載のプロジェクタは、消灯時間を測定するために投射表示が行われていないときでもＣＰＵには常に電源を供給しなければならない。その結果、プロジェクタの消費電力が大きくなるという弊害が考えられる。
【００１３】
本発明は、上述したような問題を解決するためになされたものであり、小さな消費電力で光源の寿命を延ばすことが可能なプロジェクタおよび光源保護方法を提供することを目的とする。
【課題を解決するための手段】
【００１４】
上記目的を達成するための本発明によるプロジェクタは、
冷却手段と、光源を点灯させる際に前記光源を前記冷却手段で冷却してから点灯を行うか否かを、前記光源が消灯すると放電するコンデンサの電荷量により決定する制御部とを備えるプロジェクタであって、
メモリを有し、
前記制御部は、前記光源が点灯状態となると、前記コンデンサを第１の時間充電状態とし、第２の時間放電状態とした後に充電状態とし、放電状態終了時の前記コンデンサの電荷量を計測して前記メモリに格納し、前記光源を点灯させる際に、前記コンデンサの電荷量が前記メモリに格納されている電荷量を上回る場合には前記冷却手段に前記光源を冷却させる。
【００１５】
また、前記光源が点灯状態のときに、前記制御部の制御に基づいて前記コンデンサの充電状態および放電状態への切り替えを行うスイッチを備えることとしてもよい。
【００１６】
前記制御部は、前記放電状態終了時の電荷量が計測されたか否かを示すフラグを前記メモリに格納し、前記光源を点灯させる際に、前記メモリに格納されている前記フラグが前記電荷量の計測が行われなかったことを示すものである場合には、前記冷却手段に前記光源を冷却させることとしてもよい。
【発明の効果】
【００１７】
本発明では、コンデンサの電荷量により光源が消灯してから再び点灯するまでの消灯時間が特定される。光源が点灯状態になると、コンデンサは第１の時間充電状態とされ、第２の時間放電状態とされた後に充電状態とされる。また、放電状態終了時のコンデンサの電荷量が計測されてメモリに格納される。そして、光源を点灯させる際にコンデンサの電荷量がメモリに格納されている電荷量を上回る場合に光源は冷却される。
【００１８】
光源の点灯が行われる度に光源を冷却するか否か判断の基準となるコンデンサの電荷量の計測が行われ、その基準値が更新されるため、コンデンサの個体差や経年変化による容量のばらつきの影響を受けることなく、光源の消灯時間が高精度に特定されることとなる。
【００１９】
また、上記のコンデンサの電荷量は光源が点灯状態のときに計測されるため、制御部に対して電源供給を常に行う必要がない。
【００２０】
本発明によれば、電源供給を常に行うことなく光源の消灯時間が高精度に特定されるため、小さな消費電力で光源の寿命を延ばすことが可能となる。
【発明を実施するための最良の形態】
【００２１】
本発明によるプロジェクタの実施例について説明する。
【００２２】
図１は、本実施例のプロジェクタの構成を示す概略図である。なお、本実施例では、投射表示を行うための構成および動作については従来のプロジェクタと同様であるため、ここではその詳細な説明を省略する。
【００２３】
本実施例によるプロジェクタは、図１に示すように、コンデンサ１と、制御部２と、メモリ３と、スイッチ４と、ダイオード５と、抵抗６と、ファン７と、ランプ８と、を含む構成である。
【００２４】
コンデンサ１は、ランプ８の消灯時間を特定するためのものであり、一方が逆流防止用のダイオード５のカソードとともに制御部２に接続され、他方が接地されている。また、コンデンサ１には、放電用の抵抗６が並列に接続されている。
【００２５】
制御部２は、プログラムにしたがって本実施例のプロジェクタの各部の動作を制御するＣＰＵ１１と、コンデンサ１の電荷量を示す電圧値を計測するアナログデジタル変換器１２とを含む構成である。
【００２６】
スイッチ４は、オンおよびオフ動作によりコンデンサ１に電流を供給するか否か切り替えるためのものであり、一方がプロジェクタに電流を供給する電源１０に接続され、他方がダイオード５のアノードに接続されている。なお、スイッチ４は、ＣＰＵ１１の制御に基づいてオンおよびオフ動作を行う。
【００２７】
メモリ３には、所定の時間に対応するしきい値が格納される。所定の時間は、ランプ８の点灯時にファン７による冷却を必要とする消灯時間に基づいて予め定められている。また、メモリ３には、ＣＰＵ１１を動作させるためのプログラムが格納されている。
【００２８】
ファン７は、ＣＰＵ１１の制御に基づいてランプ８を冷却する。
【００２９】
ランプ８は、ＣＰＵ１１の制御に基づいて点灯または消灯する。
【００３０】
次に、本実施例のプロジェクタの動作について説明する。
【００３１】
まず、メモリ３にしきい値を格納する動作について説明する。
【００３２】
プロジェクタが起動してランプ８が点状態になると、ＣＰＵ１１がスイッチ４をオンさせる。すると、電源１０から電流がダイオード５を介してコンデンサ１に供給され、コンデンサ１が充電される。このとき、ＣＰＵ１１がスイッチ４をオンさせる時間は、コンデンサ１の充電が終了するのに要する時間に基づいて予め定められている。
【００３３】
続いて、ＣＰＵ１１はスイッチ４をオフさせるとともに時間の測定を開始する。すると、コンデンサ１は、放電を開始する。
【００３４】
測定時間が所定の時間に達すると、ＣＰＵ１１はアナログデジタル変換器１２にコンデンサ１の電圧値を計測させる。すると、アナログデジタル変換器１２は、コンデンサ１の電圧値を計測してＣＰＵ１１に出力する。ＣＰＵ１１は、アナログデジタル変換器１２から入力された電圧値をしきい値としてメモリ３に格納するとともに測定時間のリセット処理を行う。
【００３５】
このようにして、メモリ３にしきい値が格納されると、ＣＰＵ１１は、スイッチ４をオンさせてコンデンサ１を再び充電させる。
【００３６】
次に、ランプ８が消灯してから再び点灯する際のプロジェクタの動作について説明する。
【００３７】
プロジェクタが再起動すると、アナログデジタル変換器１２がコンデンサ１の電圧値を計測してＣＰＵ１１に出力する。このとき、ＣＰＵ１１は、スイッチ４をオフさせて電源１０からコンデンサ１への電流の供給を停止させている。
【００３８】
アナログデジタル変換器１２から電圧値が入力されると、ＣＰＵ１１は、その電圧値とメモリ３に格納されているしきい値とを比較する。アナログデジタル変換器１２から入力された電圧値の方が大きな場合には、ＣＰＵ１１はファン７を始動させてランプ８を冷却させる。その後、ＣＰＵ１１はランプ８を点灯させる。
【００３９】
ランプ８を点灯させると、ＣＰＵ１１は、スイッチ４を予め定められた時間オンさせてコンデンサ１を充電させる。続いて、ＣＰＵ１１は、再びスイッチ４をオフさせて所定の時間に達したときにアナログデジタル変換器１２が計測したコンデンサ１の電圧値をメモリ３に格納する。このとき、しきい値が更新されることとなる。
【００４０】
なお、コンデンサ１の電圧値がアナログデジタル変換器１２によって計測されたか否かを示すフラグを設定することにしてもよい。この場合、フラグの値はメモリ３に格納され、ＣＰＵ１１がその値を変更するものとする。また、ここではフラグの値が「１」のときはコンデンサ１の電圧値が計測されたことを示す。一方、「０」のときはコンデンサ１の電圧値が計測されていないことを示す。
【００４１】
上述したフラグが設定されていると、ランプ８が点灯状態で、かつスイッチ４がオフ状態のときにランプが消灯した場合、プロジェクタはフラグの値が「０」の状態でオフする。この場合、プロジェクタが再起動した際にＣＰＵ１１はメモリ３に格納されているフラグの値が「０」であることを確認すると、ファン７を始動させランプ８を冷却させる。その後、ランプ８を点灯させる。
【００４２】
ランプ８の点灯後にコンデンサ１の電圧値が計測されると、ＣＰＵ１１は、メモリ３に格納されるフラグの値を「０」から「１」へ変更する。
【００４３】
このようにして、上述したようなフラグが設定されていると、コンデンサの電圧値がアナログデジタル変換器１２によって計測されないことによりしきい値および消灯時間が不明な場合、ランプは冷却されてから点灯されるので、ランプの劣化を防ぎ、寿命をより一層延ばすことが可能となる。
【００４４】
本実施例では、コンデンサの電荷量により光源が消灯してから再び点灯するまでの消灯時間が特定される。そして、光源が点灯状態になると、コンデンサは第１の時間充電状態とされ、第２の時間放電状態とされた後に充電状態とされる。また、放電状態終了時のコンデンサの電荷量が計測されてメモリに格納される。そして、光源を点灯させる際にコンデンサの電荷量がメモリに格納されている電荷量を上回る場合に光源は冷却される。
【００４５】
光源の点灯が行われる度に光源を冷却するか否か判断の基準となるコンデンサの電荷量の計測が行われ、その基準値が更新されるため、コンデンサの個体差や経年変化による容量のばらつきの影響を受けることなく、光源の消灯時間が高精度に特定されることとなる。
【００４６】
また、上記のコンデンサの電荷量は光源が点灯状態のときに計測されるため、制御部に対して電源供給を常に行う必要がない。
【００４７】
本実施例によれば、電源供給を常に行うことなく光源の消灯時間が高精度に特定されるため、小さな消費電力で光源の寿命を延ばすことが可能となる。
【図面の簡単な説明】
【００４８】
【図１】本実施例のプロジェクタの構成を示す概略図である。
【符号の説明】
【００４９】
１  コンデンサ
２  制御部
３  メモリ
４  スイッチ
５  ダイオード
６  抵抗
７  ファン
８  ランプ
１０  電源
１１  ＣＰＵ
１２  アナログデジタル変換器
【図１】
2008286926.tif 000003